(57)【要約】【課題】浴室内の人の動きを検知し、外部に報知することにより安全で安心な入浴を実現する機能を持たせる。【解決手段】浴槽１１に所定の温度の湯を所定の水位までお湯はりする風呂自動運転機能を有する風呂装置本体５を備えた風呂装置において、浴室１に人が浴室１内で動いているか否かを検出する体動検出装置４を設けるとともに、風呂装置本体５に、浴室１内での人の動きを体動検出装置４で検出して台所リモコン７などの外部のリモコンに表示する画像や音声で表示する動き検出表示機能を設けた。【選択図】      図１
2004156868.tif 000002
【特許請求の範囲】
【請求項１】
浴槽に所定の温度の湯を所定の水位までお湯はりする風呂自動運転機能を有する風呂装置において、人が浴室内で動いているか否かを検出する検出装置と、浴室内での人の動きを検出装置で検出してリモコンに表示する動き検出表示機能とを設けたことを特徴とする風呂装置。
【請求項２】
リモコンに、動き検出表示機能の起動・停止を行う動き検出表示スイッチを設けたことを特徴とする請求項１記載の風呂装置。
【請求項３】
浴室リモコンと外部のリモコンに、相互間で会話や音のモニターができるモニター機能と、モニター機能を起動・停止するモニタースイッチを設け、モニタースイッチに連動して動き検出表示スイッチも起動・停止することを特徴とする請求項２記載の風呂装置。
【請求項４】
浴室のドアの開閉を検出するドア開閉検出装置を設け、このドア開閉検出装置により浴室への人の入室を検出して動き検出表示機能の起動・停止する機能を設けたことを特徴とする請求項１記載の風呂装置。
【請求項５】
浴室の床に浴室内に人が入ったことを検出する入室検知センサを設置し、入室検知センサの検知により動き検出表示機能の起動・停止を行うことを特徴とする請求項１記載の風呂装置。
【請求項６】
浴槽にお湯はりする風呂自動運転機能と一定時間浴槽の温度と水位を検知し保温と足し湯をする保温運転機能とを有する風呂装置において、お湯はり完了後動き検出表示機能を起動し、保温運転機能が停止するまで継続することを特徴とする請求項１記載の風呂装置。
【発明の詳細な説明】
【０００１】
【発明の属する技術分野】
本発明は風呂装置、特に家庭用風呂装置に関するものである。
【０００２】
【従来の技術】
従来、風呂装置として、浴槽に所定の温度の湯を所定の水位までお湯はりする風呂自動運転機能と、更に一定時間、浴槽の温度と水位を保つ保温運転機能を有しているものが知られている。
【０００３】
この種の風呂装置の構成例について、図２を参照して説明すると、２１は浴室、２２は浴室のドア、２３は風呂装置本体、２４は風呂装置の運転を操作する浴室リモコン、２５は風呂装置の運転を操作する台所リモコン、２６は入浴者、２７は風呂配管、２８は浴室の外に居る人、２９は浴槽である。
【０００４】
次に、このような構成の風呂装置におけるお湯はり動作と保温動作について説明すると、浴室リモコン２４または台所リモコン２５の風呂自動運転スイッチを入れると、風呂装置本体２３が風呂配管２７を通して浴槽２９にリモコン２４、２５で設定された所定温度の湯を所定の量までお湯はりを行う。その後、所定の時間（例えば１０分）間隔で浴槽２９の湯の温度を検知し、所定の温度よりも低下していたら所定の温度まで追いだき運転を行って、浴槽２９の湯温を保温する。このような動作を一定時間（例えば４時間）経過するまでの間繰り返し行い、浴槽２９の湯を保温する。以上の動作によって、お湯はり後一定時間の間保温され、保温されている間所定温度の快適な湯に入浴することが可能となる。そして、浴室内に人が存在しているか否かを検出する人体検知センサーを設け、この人体検知センサーにより人が存在していることを検出すると浴槽への給湯を実行しないようにしたものが知られている（例えば、特許文献１参照。）。
【０００５】
【特許文献１】
特開平０９−３３０９７号公報
【０００６】
【発明が解決しようとする課題】
ところで、近年、浴槽での高齢者の事故が注目されており、早期の発見が重大事故を防止することにつながることが認識され、入浴後の人の動きを検知して異常が起こっているか否かを判断する機能の有効性に対する認識が高まってきている。しかしながら、上記従来の風呂装置では、入浴後の人の動きを検知して判断する機能は有していないため、異常が起こったことを速やかに認識して適切に対処することができないという問題があった。
【０００７】
本発明は、上記従来の問題点に鑑み、入浴中に人に異常が起こったときに検知して報知できる風呂装置を提供することを目的とする。
【０００８】
【課題を解決するための手段】
本発明の風呂装置は、浴槽に所定の温度の湯を所定の水位までお湯はりする風呂自動運転機能を有する風呂装置において、人が浴室内で動いているか否かを検出する検出装置と、浴室内での人の動きを検出装置で検出してリモコンに表示する動き検出表示機能とを設けたものである。なお、ここでの表示とは、リモコン画面への画像表示だけでなく、ブザー音や音声などを発して報知する音声表示も含んでいる。
【０００９】
このような構成により、浴室内の人の動きを検出し、検出した状態に応じてリモコンに表示されるので、浴室内で人に異常が起こったときに浴室の外部に的確に報知され、浴室内の事故を未然に防ぐことができる。
【００１０】
また、リモコンに、動き検出表示機能の起動・停止を行う動き検出表示スイッチを設けると、動き検出表示機能を確実に起動・停止することができる。
【００１１】
また、浴室リモコンと外部のリモコンに、相互間で会話や音のモニターができるモニター機能と、モニター機能を起動・停止するモニタースイッチを設け、モニタースイッチに連動して動き検出表示スイッチも起動・停止するようにすると、会話や浴室内の音のモニターと同時に、動き検出表示機能が起動・停止することによって、より高い信頼性をもって浴室内の人の検知ができる。
【００１２】
また、浴室のドアの開閉を検出するドア開閉検出装置を設け、このドア開閉検出装置により浴室への人の入室を検出して動き検出表示機能の起動・停止する機能を設けると、ドアの開閉による浴室への人の出入りによって自動的にかつ確実に動き検出表示機能を起動・停止することができる。
【００１３】
また、浴室の床に浴室内に人が入ったことを検出する入室検知センサを設置し、入室検知センサの検知により動き検出表示機能の起動・停止を行うようにすると、人が浴室に入室したことを床の入室検知センサで確実に検知し、自動的にかつ確実に動き検出表示機能を起動・停止することができる。
【００１４】
また、浴槽にお湯はりする風呂自動運転機能と一定時間浴槽の温度と水位を検知し保温と足し湯をする保温運転機能とを有する風呂装置において、お湯はり完了後動き検出表示機能を起動し、保温運転機能が停止するまで継続するようにすると、入浴する時に確実に人の検知を行うことができる。
【００１５】
【発明の実施の形態】
以下、本発明の風呂装置の一実施形態について、図１を参照して説明する。
【００１６】
図１において、１は浴室、２は浴室のドア、３はドアの開閉を検知するドア開閉検知装置、４は浴室内の人の動きを検知する体動検出装置、５は風呂装置本体、６は風呂装置の運転を操作する浴室リモコン、７は風呂装置の運転を操作する台所リモコン、８は入浴者、９は風呂配管、１０は浴室の外に居る人、１１は浴槽である。風呂装置本体５は、浴槽１１にお湯はりする風呂自動運転機能と、一定時間浴槽の温度と水位を検知し保温と足し湯をする保温運転機能と、浴室１内での人の動きを体動検出装置４で検出して台所リモコン７などの浴室１外のリモコンに表示する動き検出表示機能とを有している。
【００１７】
次に、以上の構成の風呂装置における動作を説明する。
【００１８】
まず、お湯はり動作と保温動作について説明すると、浴室リモコン６または台所リモコン７の風呂自動運転スイッチを入れると、風呂装置本体５が風呂配管９を通して浴槽１１にリモコン６、７で設定された所定温度の湯を所定の量までお湯はりを行う。その後、所定の時間（例えば１０分）間隔で浴槽の湯の温度を検知し、所定の温度よりも低下していたら所定の温度まで追いだき運転を行い、浴槽の湯温を保温する。この動作を一定時間（例えば４時間）経過するまでの間繰り返し行い、浴槽の湯を保温する。以上の動作によって、お湯はり後、一定時間の間保温され、保温されている間所定温度の快適な湯に入浴することが可能となる。
【００１９】
次に、入浴している人が何らかの原因で意識を失って動かなくなったときに、それを浴室１外の人に知らせる動作について説明する。入浴者８がドア２を開けて浴室１に入ると、ドア２に設置したドア開閉検知装置３にて入浴者８の入室が検知され、その信号が風呂装置本体５に入力される。入浴者８の入室が検知されると、風呂装置本体５の動き検出表示機能が起動し、浴室１の入浴者８の動きを検知する体動検出装置４を作動させて入浴者８の動きを検知する。そして、入浴者８の動きが正常ではないと判断すると、浴室１外に設置している台所リモコン７に画像又は音声等で表示されることで、浴室１の外に居る人１０に確実に報知され、未然に入浴事故を防ぐことができる。
【００２０】
また、リモコンに、動き検出表示機能の起動・停止を行う動き検出表示スイッチを設けると、動き検出表示機能を確実に起動・停止することができる。
【００２１】
以上の実施形態の説明では、ドア開閉検出装置３で浴室１への人の入室を検出することで、風呂装置本体５の動き検出表示機能を起動させ、退室を検出すると停止するようにし、ドア２の開閉による浴室１への人の出入りによって動き検出表示機能を自動的にかつ確実に起動・停止するようにした例を示したが、動き検出表示機能の起動・停止の制御方法はこれに限定されるものではない。
【００２２】
例えば、ドア開閉検出装置３に代えて、浴室１の床に浴室１内に人が入ったことを検出する入室検知センサを設置し、入室検知センサの検知により動き検出表示機能の起動・停止を行うようにしても良い。そうすると人が浴室１に入室したことを床の入室検知センサで確実に検知し、自動的にかつ確実に動き検出表示機能を起動・停止することができる。
【００２３】
また、台所リモコン７、若しくは浴室リモコン６に動き検出表示機能の起動・停止を行う動き検出表示スイッチを設け、必要時に動き検出表示スイッチのオン・オフすることによって動き検出表示機能を確実に起動・停止するようにしても良い。
【００２４】
また、浴室リモコン６と外部の台所リモコン７に、相互間で会話や音のモニターができるモニター機能とそのモニター機能を起動・停止するモニタースイッチを設け、このモニタースイッチに連動して上記動き検出表示スイッチも起動・停止するように構成しても良い。こうすると、会話や浴室内の音のモニターと同時に、動き検出表示機能が起動・停止することによって、より高い信頼性をもって浴室内の人の検知ができる。
【００２５】
また、風呂装置本体５に風呂自動運転機能と保温運転機能とを有する場合に、動き検出表示機能をお湯はり完了後起動し、保温運転機能が停止するまで継続するようにしても良く、そうすると別途に検出手段を配設することなく、入浴する時に確実に人の検知を行うことができる。
【００２６】
【発明の効果】
本発明の風呂装置によれば、浴室内での人の動きを検出装置で検出してリモコンに表示する動き検出表示機能を備えていることで、入浴中の人の動きを検知して異常が起こったときに確実に浴室の外部に表示して報知することができ、入浴中の事故を防止することができる。
【図面の簡単な説明】
【図１】本発明の風呂装置の一実施形態の概略構成図である。
【図２】従来例の風呂装置の概略構成図である。
【符号の説明】
１  浴室
２  ドア
３  ドア開閉検出装置
４  体動検出装置
５  風呂装置本体
６  浴室リモコン
７  台所リモコン
１１  浴槽
【図１】
2004156868.tif 000003
【図２】
2004156868.tif 000004